(57)【特許請求の範囲】
【請求項１】
被検体を分析する分析部と、この分析部の複数の装置制御プログラム情報及び操作ガイダンス情報を記憶する記憶部と、上記装置制御プログラム情報、操作ガイダンス情報を表示する表示部と、上記分析部、記憶部及び表示部の動作を制御する制御部とを備える分析装置において、
上記操作ガイダンス中の各手順と、当該各手順を実行する上記装置制御プログラム情報との対応関係の情報が上記記憶部に記憶され、
上記制御部は、上記複数の装置制御プログラム情報のうちの操作者に選択された装置制御プログラム情報を特定のキーと共に上記表示部に表示させ、表示された上記特定のキーの操作により上記操作ガイダンス情報を上記表示部に表示し、上記操作ガイダンス情報の所定の手順が選択されて表示されたときに、上記対応関係の情報に基づいて、上記所定の手順を実行する装置制御プログラム情報を選択し、当該装置制御プログラム情報を当該表示された操作ガイダンス情報の表示終了時に上記表示部に表示させることを特徴とする分析装置。
【請求項２】
請求項１記載の分析装置において、
上記操作ガイダンス情報の各手順と、当該各手順を実行する複数の装置制御プログラム情報との対応関係の情報が上記記憶部に記憶され、
上記制御部は、上記操作ガイダンス情報の所定の手順が選択されて表示されたときに、上記対応関係の情報に基づいて、上記所定の手順を実行する複数の装置制御プログラム情報を選択し、当該複数の装置制御プログラム情報を当該表示された操作ガイダンス情報の表示終了時に上記表示部に表示させることを特徴とする分析装置。
【請求項３】
請求項２記載の分析装置において、
上記複数の装置制御プログラム情報の実行の順番を示す画面遷移プロセスを上記表示部に表示することを特徴とする分析装置。
【請求項４】
請求項３記載の分析装置において、上記制御部は、実施された画面遷移プロセスを上記記憶部に記憶させ、当該記憶された画面遷移プロセスを上記表示部に表示させることを特徴とする分析装置。
【発明の詳細な説明】
【技術分野】
【０００１】
本発明は、成分濃度や個数を分析あるいは計数する分析装置に係わり、特に複数の画面にわたり操作を行う分析装置に関する。
【背景技術】
【０００２】
従来の多くの分析装置は、専用の操作部を持ち、制御プログラムソフトが画面を含む入出力の制御を行っていた。近年は汎用のパーソナルコンピュータに分析部を制御する制御プログラムソフトを搭載する方法が主流となっている。この制御プログラムソフトは、分析装置の多機能化に伴い、操作する画面数が増えてきている。
【０００３】
この制御プログラムソフトは、目的別に分けられた画面構成の場合には、操作する画面数が多いと、目的の画面に遷移するまでのステップ数が多く、習熟しているオペレータには煩わしく感じられるとともに、画面設定に時間がかかるという欠点がある。更に、一画面に表示できる情報が少なくなるため、全体が把握しにくくなるという欠点もある。
【０００４】
一方、操作画面の全体がわかるような画面階層型の場合、初心者や一時的に使用するオペレータはどの画面から設定してよいか迷うことが多い。特に分析を行うための条件設定パラメータや情報を複数の画面に渡って入力する場合は、操作開始までの設定に時間がかかるという問題点がある。このように、複雑で多機能な分析装置には、表示内容が多いため、画面構成だけでは問題解決にならないことが多い。
【０００５】
そこで、特許文献１には、上記の問題を解決するために操作メニューを表示してナビゲーションを行ったり、オペレータのレベルに応じて表示する内容を変更できる自動分析装置が開示されている。また、特許文献２には、習熟度に応じて操作ガイド画面の表示を変更する技術が開示され、特許文献３には、複数の画面の中からユーザーが操作画面を設定し構築できる技術が開示されている。
【０００６】
しかし、特許文献１や２に開示された技術では、習熟度を判断するステップや画面を複数用意しなくてはならない。また、操作性をアップするために画面構成を複数持ったり、改善するときには、ソフトウェアの変更や検証に多大な時間がかかり、一度開発するとなかなか画面構成や操作性向上のための機能追加が行えない。
【０００７】
最近は、全体が見渡せる階層型画面構成が多く採用されている。この場合には、操作ガイドを別な文書ファイル形式として同じコンピュータ内の記憶部に格納しておくか、またはＣＤ−ＲＯＭに格納しておき、必要に応じてヘルプボタンから操作ガイダンスファイルを呼び出し、表示させる。操作ガイドを制御プログラムソフトとは別の分離した文書形式にすると、ソフトの変更時に長時間を要しないという利点があり、操作ガイドに検索機能がある場合には、目的の操作説明を呼び出すこともできる。
【０００８】
また、紙のマニュアルを参照しながら操作を進めると操作が早くなることもある。紙のマニュアルは全体を見渡して目次や索引で検索できるため、目的の操作を見つけることが容易である。しかし、紙のマニュアルを使用する場合には、アプリケーションの画面と紙のマニュアルとを交互に見ながら作業を行う必要があり、視線の移動が多くなり、作業の効率が悪化する。
【０００９】
このような紙のマニュアルの問題点を改善する技術として、特許文献４に記載されたものがある。特許文献４には、アプリケーション自身の画面上に、一定時間あるボタンを押すと、アプリケーションが表示されている画面に関する説明が表示される操作支援装置が開示されている。
【００１０】
【特許文献１】特開２０００−２６６７５４号公報
【特許文献２】特開平５−８８８３２号公報
【特許文献３】特開平６−１４８１９７号公報
【特許文献４】特開２０００−１１２６０５号公報
【発明の開示】
【発明が解決しようとする課題】
【００１１】
しかしながら、操作ガイドを制御プログラムソフトとは別の分離した文書形式にした場合には、通常、操作ガイダンスを呼び出すのは、操作の途中でわからないことが発生した場合であるため、オペレータがヘルプウィンドウを見ながら制御プログラムソフトを操作するためには、２つのウィンドウを同時に表示させる必要がある。一般的には、アクティブになっているウィンドウが画面上最前面に出てくるようになっているものが多いため、ヘルプウィンドウを参照して、制御プログラムソフトを操作しようとすると、ヘルプ画面を閉じなければならない。ヘルプ画面を閉じたときに、操作する目的の画面が表示されていない場合は、その目的とする画面を探すところから始めなければならない。
【００１２】
特に、分析を行うための条件設定パラメータや情報を複数の画面に渡って入力したりする場合や初心者や一時的に使用するオペレータでは操作開始までに時間がかかってしまう。また、複数の画面に渡って操作する場合は、ナビゲーションされないため、最終目的に達しないことがある。
【００１３】
習熟度別に画面の構成を変更したり、特定の操作のときにナビゲーションを表示するなど、操作アプリケーションの画面表示や操作性を変更することも考えられるが、ソフト変更に多大な時間と労力を要してしまう。
【００１４】
装置の項目などの設定は一度行うとあまり実施されないことが多い。しかし途中で変更になった場合、担当者も変わっていたりして、どの画面から操作していいか、何を設定すればいいかがわからなくなる。
【００１５】
本発明の目的は、多機能化に伴い、画面構成が複雑になった自動分析装置の設定や登録作業の操作ガイダンスを習熟度や使う人によらず、効率良く使用できる分析装置を実現することである。
【課題を解決するための手段】
【００１６】
本発明は、予め自動分析装置の制御プログラムソフトの画面ＩＤと操作ガイダンスファイル内の手順ＩＤ、キー、コード、ボタン等を対応付けた対応リストを自動分析装置の記憶部に格納しておき、上記記憶部に独立して格納されている操作ガイダンスが自動分析装置の表示部に表示されている状態で、操作ガイダンス内の手順ＩＤ等が選択されることにより、上記対応リストの中から、対応する画面ＩＤを検索し、操作ガイダンスのウィンドウを閉じた後、上記画面ＩＤに対応する画面へ遷移することで達成される。
【発明の効果】
【００１７】
本発明によれば、操作ガイダンス用の文書ファイルを分析側の制御プログラムと独立させることにより、分析側の制御プログラムの操作画面の構成を変えず、かつ目的の画面操作に間違いなく誘導し、また、紙のマニュアルを有効利用し、目的の画面操作に間違いなく誘導することにより、複雑な自動分析装置の設定、登録操作の効率を良くすることができる。
【００１８】
また、過去の画面遷移プロセスを記憶し、必要に応じて、過去の画面遷移を呼び出すことにより、例えば、普段行わないような設定機能の操作性を効率向上させることができる。
【発明を実施するための最良の形態】
【００１９】
以下、本発明の実施形態を図面を参照して説明する。
【００２０】
本発明の第１の実施形態を図１〜図５により説明する。
【００２１】
図１は、本発明の適用対象である自動分析装置の概略構成図である。
【００２２】
図１において、本発明の第１の実施形態による自動分析装置は、主として、サンプルディスク１と、試薬ディスク２と、反応ディスク３と、反応槽４と、サンプリング機構５と、ピペッティング機構６と、攪拌機構７と、測光機構８と、洗浄機構９と、表示部１０と、入力部１１と、記憶部１２と、制御部１３とを備える。
【００２３】
サンプルディスク１には、採取したサンプルが入れられた複数の試料容器１６が、円形ディスク１７の円周上に固定され配置されている。そして、円形ディスク１７は、図示しないモータや回転軸等から構成される駆動機構により、周方向に回転され、所定の位置に停止される。
【００２４】
試薬ディスク２には、サンプルと混合して反応させるための試薬が入れられた複数の試薬ボトル１８が、円形ディスク１９の円周上に固定され配置されており、これらの試薬ボトル１８の周囲は、温度制御された保冷庫２０になっている。
【００２５】
また、円形ディスク１９は、図示しないモータや回転軸等から構成される駆動機構により、位置決め可能に周方向に回転される。
【００２６】
反応ディスク３には、サンプルおよび試薬を入れるための反応容器２１を保持した反応容器ホルダ２２が複数取り付けられており、反応ディスク３は、駆動機構２３により、周方向回転の開始と停止とを一定サイクルで繰り返し、反応容器２１は間欠移送される。
【００２７】
反応槽４は、反応容器２１の移動軌跡に沿って設置され、サンプルと試薬との化学反応を促進するために、例えば温度制御された恒温水が、入れられた恒温槽である。反応容器２１は、この反応槽４内を移動し反応容器２１内の反応液が一定温度に制御される。
【００２８】
また、サンプリング機構５は、支承軸２５と、支承軸２５に取り付けられたアーム２６と、その先端に取り付けられたプローブ２４と、支承軸２５を回転中心にサンプルディスク１と反応ディスク３との間を往復移動させる図示しない駆動機構とを備えている。
【００２９】
そして、サンプリング機構５は、予め定められたシーケンスに従い、サンプルディスク１の回転と共に定位置に移送されてくる試料容器１６内のサンプルを、反応ディスク３上の反応容器２１に供給する。
【００３０】
上述したサンプリング機構５と同様に、ピペッティング機構６は、支承軸２８と、支承軸２８に取り付けられたアーム２９と、その先端に取り付けられたプローブ２７と、支承軸２８を回転中心に試薬ディスク２と反応ディスク３との間を往復移動させる図示しない駆動機構とを備えている。
【００３１】
そして、ピペッティング機構６は、予め定められたシーケンスに従って、試薬ディスク２の回転と共に定位置に移送されてくる試薬ボトル１８内の試薬を、反応ディスク３上の反応容器２１内に供給する。
【００３２】
尚、試料容器１６及び試薬ボトル１８の各々には、異なる種類のサンプル及び試薬が入れられており、必要量が反応容器２１に供給される。
【００３３】
また、表示部１０は、ＣＲＴディスプレイや液晶モニタなどが使用され、分析項目や分析結果等の各種画面表示を行う。また、入力部１１は、分析項目等の各種情報の入力を行う。また、記憶部１２は、操作部内のパーソナルコンピュータに設置され、各機構を制御するために予め定められたシーケンス（プログラム）および分析項目等の各種情報すなわち、装置制御プログラムソフト３０と、操作ガイダンスファイル３１と、画面ＩＤと操作ガイダンスファイル３１内の手順ＩＤ、コード、及びボタン等（以下手順ＩＤ等とする）との対応リストファイル３２とを記憶している。
【００３４】
尚、記憶部１２は、装置内部の記憶装置と、操作部のパーソナルコンピュータ内の記憶装置の２種類を使用しても良い。この場合には、分析装置内にある記憶装置は、常に操作部の記憶装置と通信ケーブルにより接続され、情報の受け渡しを行う。
【００３５】
本発明の第１の実施形態による自動分析装置は、図１に記載された装置の他に、シリンジやポンプ等を構成要素として備えており、それらも含め、全て記憶部１２に記憶されているシーケンスに従って、制御部１３により制御される。
【００３６】
図２は、本発明の第１の実施形態による自動分析装置の操作画面の一例を示す図である。
【００３７】
図２において、表示画面には、ジョブメニュー４２、サブジョブメニュー４３のタブが常に表示されており、目的のタブを選択することによって、画面を遷移する構造になっている。
【００３８】
また、表示画面には、装置の状態や日付等のステータス表示エリア４１と、分析装置への測定開始、終了を命令するグローバルメニューエリア４４と、各画面の設定・入力表示エリア４５と、各画面からウィンドウ表示へ遷移するファンクションボタン４６と、ヘルプファイルを表示するヘルプボタン（特定のキー）４７とが表示される。表示画面は、装置の機能の全体を見渡すことができ、また、分析部の状態を管理できる構成となっている。
【００３９】
図３は、本発明の第１の実施形態による自動分析装置の制御プログラムソフト３０の画面ＩＤと操作ガイダンスファイル３１内の手順ＩＤ等との対応リストファイル３２の一例を示す図である。制御プログラムソフト３０の画面から操作ガイダンスウインドウ表示へ遷移するための対応ファイル３２に画面個々のＩＤとそれぞれに対応するヘルプファイルＩＤとがある。
【００４０】
図２に示す表示画面は階層状に構成され、大きなジョブメニュー（例：ルーチン操作）の下に、サブメニュー（例：項目選択、測定結果）があり、更にその下にウィンドウ（例：検体属性、一括登録等）がある。図２に示す表示画面には、ジョブとサブメニューのタブが常に表示されているが、ウィンドウは各メニュー画面のファンクションボタンとして存在し、ウィンドウの下に更なるウィンドウが存在する場合もある。
【００４１】
図３において、対応リストファイル３２は、各画面、ウィンドウ一つ一つに画面のＩＤを割付け、それに対応して表示する操作ガイダンスファイルのＩＤ（ヘルプファイルＩＤ）を関連付けた対応表である。
【００４２】
例えば、ルーチン操作の項目選択画面で検体属性画面を表示しているときに、ヘルプボタン４７が押されると、図３によれば、検体属性は画面ＩＤがＨＤ￥Ｗｏｒｋ￥Ｄｅｍｏであるので、ヘルプファイルＡ＿１＿１というファイルが表示部１０に表示される命令が制御部１３から出力される。
【００４３】
尚、上記の関連付けは従来の操作ガイダンス画面表示においても行われている手法である。この実施形態においては、操作ガイダンスウィンドウから目的の装置制御プログラムソフト３０の画面に遷移する方法を説明する。
【００４４】
図４は、操作ガイダンスファイル３１内の手順ＩＤ等と、装置制御プログラムソフト３０の画面ＩＤとの対応リストファイル３２を示す図である。
【００４５】
図４において、対応リストファイル３２は、手順ＩＤ等の１つ１つに装置制御プログラムソフト３０の画面ＩＤが対応付けられ、記憶部１２に格納される。操作ガイダンス表示中に手順ＩＤ等が選択されると、それに対応するアプリケーション画面ＩＤが一時的に記憶部１２に格納される。
【００４６】
例えば、再検ラックに再度測定する試料を登録する方法がわからず、ヘルプ画面上の手順名称の「再検ラック登録」を選択した場合には、記憶部１２に格納された対応ファイルリスト３２を検索し、図４に従い、再検ラック登録の手順ＩＤであるＲｅｒｕｎ＿Ｒａｃｋ＿ｒｅｇｉｓｔに対応する画面ＩＤであるＨＤ￥Ｗｏｒｋ￥ｒｅｒｕｎが記憶部１２に一時格納される。
【００４７】
続いて、操作ガイダンスウィンドウが閉じられると、装置制御プログラムソフト３０の画面に戻るが、そのときに一時格納された上記画面ＩＤが呼び出され、この画面ＩＤに対応する表示画面が表示部１０に表示されるように制御される。
【００４８】
尚、操作ガイダンスウィンドウが任意に閉じられた場合にも、一時格納されている画面ＩＤがあるときには、格納されている画面ＩＤに対応する表示画面が表示部１０に表示される。
【００４９】
図５は、本発明の第１の実施形態による自動分析装置の画面遷移の処理フロー図である。
【００５０】
図５のステップＳ１０１おいて、まず分析装置を立上げ、アプリケーションプログラムが起動され、表示部１０に操作ガイダンスファイル３１の画面が起動される。このとき、ヘルプボタン４７が押されない場合には装置制御プログラムソフト３０の画面が表示される。
【００５１】
ステップＳ１０１において、ヘルプボタン４７が押されると、図３に示す画面ＩＤに対応するヘルプファイルＩＤを対応リストファイル３２から検索し、対応するヘルプファイルＩＤのウィンドウが表示される（ステップＳ１０２）。
【００５２】
その後、操作ガイダンスの文書内においては、目次やキーワードを使って、実施したい操作手順の検索が行われ、表示される（ステップＳ１０３）。ここで、操作ガイダンスファイル３１のウィンドウ内の手順ＩＤを選択するかどうかが判定される（ステップＳ１０４）。手順ＩＤを選択しないときには、そのままヘルプウィンドウが表示される。尚、選択される手順ＩＤ等は、目に見える画面中のキー、ＩＤ、コード、名称等のいずれでもよく、選択されたことが認識できればよい。さらに、操作ガイダンスファイル３１に手順リスト表示機能があればさらに効率が良くなる。
【００５３】
操作ガイダンスファイル３１上の手順ＩＤ等が選択されると同時に、上記手順ＩＤ等に対応する装置制御プログラムソフト３０の画面ＩＤを対応リストファイル３２から検索し、検索した画面ＩＤを記憶部１２に一時的に格納する（ステップＳ１０５）。
【００５４】
次に、操作ガイダンスファイル３１のウィンドウを閉じ（ステップＳ１０６）、同時に、格納していた上記画面ＩＤに対応する装置制御プログラムソフト３０の画面を表示する（ステップＳ１０７）。
【００５５】
以上のように構成された本発明の第１の実施形態によれば、操作ガイダンス用の文書ファイルと分析側の制御プログラムとを独立させることにより、分析側の制御プログラムの操作画面の構成を変えることなく、つまり、操作者のレベルに応じた画面変更やナビゲーション表示等に対応する必要がなく、且つ、ヘルプ表示の機能を最大限活用しつつ、目的の画面操作に間違いなく誘導することができ、これにより、複雑な自動分析装置の設定、登録作業の作業効率を高くすることができる。
【００５６】
次に、本発明の第２の実施形態を図６，図７により説明する。
【００５７】
本発明の第２の実施形態による自動分析装置は、紙やシートマニュアルの利便性を利用した実施形態であり、記憶部１２の操作ガイダンスファイル３１の代わりに、紙やシートマニュアルが備えられている。その他の構成については、本発明の第１の実施形態による自動分析装置と同じである。
【００５８】
図６は、本発明の第２の実施形態による自動分析装置のマニュアル５２（５２ａ，５２ｂ）と操作部全体との関係を示す図である。
【００５９】
図６において、本発明の第２の実施形態による自動分析装置は、マニュアル５２と、操作部と、制御部１３とを備えている。操作部は、表示部１０と、記憶部１２と、入力部１１とを備えている。操作部の記憶部１２は、制御部１３に接続され、制御部１３は入力部１１や表示部１０を制御する。
【００６０】
マニュアル５２としては、操作等の装置取扱いを説明する紙マニュアルや簡略化したシートマニュアル５２ａ、または装置の保守点検用のマニュアル５２ｂが相当する。特に保守点検後に行うメンテナンスも手順化して記憶させておき、メンテナンス用のマニュアルからメンテナンス画面へ遷移できることが望ましい。
【００６１】
マニュアル５２は、通信手段５１により記憶部１２及び制御部１３と接続されている。通信手段５１としては、通信ケーブル接続やリモコンで使われている赤外線通信等が有用である。
【００６２】
記憶部１２には、装置制御プログラムソフト３０と、マニュアル５２とこのマニュアル５２内の手順ＩＤ（識別キー）５３と装置制御プログラムソフト３０の画面ＩＤとの対応リストファイル３２が格納されている。この対応リストファイル３２の例は、図４に示した通りである。
【００６３】
マニュアル５２の内部の一部分には、手順ＩＤ５３等が選択されたことを検知するＩＣ等のセンサー５４が、複数の操作ガイダンスのそれぞれに対応して予め設置される。上記センサー５４が押された場合には、通信手段５１を介して記憶部１２にその旨が送信される。オペレータは、マニュアル５２を参照し、索引や目次等から目的の手順ＩＤ５３を選択したことを通信手段５１を介して制御部１３へ知らせる。
【００６４】
マニュアル５２の手順ＩＤ５３等が選択されたことが通信手段５１を介して記憶部１２および制御部１３へ送信されると、上記手順ＩＤ５３に対応する装置制御プログラムソフト３０の画面が表示される。
【００６５】
図７は、本発明の第２の実施形態による自動分析装置の画面遷移の処理フロー図である。
【００６６】
図７のステップＳ２０１において、まず装置を立上げ、装置制御プログラムソフト３０が起動され、表示部１０に画面が表示される。この状態でマニュアル５２の手順ＩＤ５３等が選択される。このとき、手順ＩＤ５３等が押されない場合には、制御プログラムソフト３０の画面が表示される。
【００６７】
ステップＳ２０１において、手順ＩＤ５３等が選択されると、同時に記憶部１２に格納された対応リストファイル３２の中から、対応する装置制御プログラムソフト３０の画面ＩＤが検索される（ステップＳ２０２）。尚、選択される手順ＩＤ５３は、目に見える画面中のキー、ＩＤ、コード、名称等のいずれでもよく、選択されたことが認識できればよい。
【００６８】
次に、検索された画面ＩＤに対応する装置制御プログラムソフト３０の画面に遷移し、表示される（ステップＳ２０３）。
【００６９】
以上のように構成された本発明の第２の実施形態によれば、紙やシートマニュアルを有効利用し、分析側の制御プログラムの操作画面の構成を変えることなく、つまり、操作者のレベルに応じた画面変更やナビゲーション表示等に対応する必要がなく、且つ、目的の画面操作に間違いなく誘導することができ、これにより複雑な自動分析装置の設定、登録作業の作業効率を高くすることができる。
【００７０】
次に本発明の第３の実施形態を図８，図９により説明する。
【００７１】
図８は、本発明の第３の実施形態による自動分析装置の画面ＩＤと操作ガイダンスファイル３１内の手順ＩＤ等の複数の手順をグループ化した対応リストファイルの一例を示す図である。
【００７２】
本発明の第１及び第２の実施形態による自動分析装置において、目的の操作手順を複数の画面で行う場合がある。この場合、操作ガイダンスやマニュアルでの手順ＩＤとの画面ＩＤが１対１にならない。本発明の第３の実施形態においては、このような場合に、手順ＩＤをグループ化して登録できるようにする。
【００７３】
図８において、本発明の第１の実施形態における対応リストファイル３２を示す図３，図４と同様に、手順ＩＤと画面ＩＤとのグループＩＤ同士の対応リスト３２aが作成される。グループＩＤが選択されたときは、画面ＩＤが複数存在することを認識できるようなＩＤの付け方にする。このとき、初めの画面表示はグループのうちの先頭の画面ＩＤに対応する画面が表示され、記憶部１２にはグループとして一時的に格納される。
【００７４】
操作ガイダンスファイル３１のウィンドウが閉じられるか、又は、マニュアル５２の手順ＩＤ５３等が選択されると、装置制御プログラムソフト３０の画面が表示され、その表示は一時的に記憶部１２に格納したグループＩＤの先頭の画面ＩＤに対応する表示画面が呼び出されて表示部１０に表示される。
【００７５】
図９は、本発明の第３の実施形態による自動分析装置の画面遷移プロセス表示画面の一例を示す図である。
【００７６】
図９において、グループ化された画面遷移プロセスは、簡易表示ウィンドウ６１を画面内に表示させる。簡易表示ウィンドウ６１の中には画面遷移プロセスの順番と、現在実行中のプロセスが認識できるように表示される。図９の例では現在実行中のプロセスはアイコン表示色を反転させ、現在実行中のプロセスがわかるようにしている。プロセス上に示めされるプロセスボタン６３を選択するか、または、画面終了時に、次のプロセスの画面に遷移する。プロセスボタン６３は、現在の順番でなくても選択可能とする。詳細な情報を見たい場合は拡大表示ボタン６２を押して、画面遷移プロセスウィンドウ６４を表示する。
【００７７】
画面遷移プロセスウィンドウ６４には、画面遷移プロセスの名称、過去に実施した日付と、画面名称や目的などが表示される。プロセスボタン６３を押すことにより、次の手順に進むことができる。これにより、目的やメモ等を入力することが可能であり、次に操作する人の作業効率が高くなる。
【００７８】
簡易表示ウィンドウ６１と同様に、プロセスボタン６３、あるいは画面終了時に次のプロセス画面へ遷移する。プロセスボタン６３を任意に選択することで、途中のプロセスをスキップすることも可能である。最後の画面表示終了により、画面遷移プロセスウィンドウ６４の表示を消去する。
【００７９】
以上のように構成された本発明の第３の実施形態によれば、目的の操作手順を複数の画面で行う場合であっても、目的の画面操作に間違いなく誘導することができ、これにより複雑な自動分析装置の設定、登録作業の作業効率を高くすることができる。
【００８０】
次に、本発明の第４の実施形態を図１０、図１１により説明する。
【００８１】
本発明の第４の実施形態による自動分析装置は、マニュアル５２や操作ガイダンスファイル３１に無い手順が発生した場合に、画面遷移プロセスを新たに装置制御プログラムソフト３０に登録する機能を付加した場合の実施形態である。
【００８２】
図１０は、本発明の第４の実施形態による自動分析装置の画面遷移プロセス登録画面の一例を示す図である。
【００８３】
図１０において、操作者は、まず画面上の手順登録ボタン６５を選択することにより、手順登録ウィンドウ６５が表示される。
【００８４】
手順登録ウィンドウ６５には、手順の名称と、手順の目的と、手順の番号と、各画面では何をしたかのメモの入力欄が表示される。各入力欄に入力を行い、登録したい内容が画面に表示された状態で登録ボタン６７を押すと、表示されている画面ＩＤが制御プログラムソフト３０から検索され、画面の名称を表示して、画面ＩＤが登録される。この作業を順番に必要分行うことにより、画面遷移手順が登録される。
【００８５】
図１１は、本発明の第４の実施形態による自動分析装置の登録された画面遷移プロセスを表示する画面の一例を示す図である。
【００８６】
図１１において、操作者は、画面上の手順リストボタン６６を選択することにより手順リストウィンドウが表示される。
【００８７】
手順リストウィンドウには、ウィンドウ左側に手順リストが表示され、ウィンドウ右側には、ウィンドウ左の手順リストのうち選択された手順リストの詳細情報が表示される。また、ウィンドウ右下には画面表示ボタン６８が表示され、ウィンドウ右側に詳細情報が表示された状態で、画面表示ボタン６８を選択すると、選択した手順リストの画面に遷移する。この場合には、本発明の第３の実施形態の図９により説明した簡易ウィンドウ６１が表示される。更に、図９と同様に、拡大表示ボタン６２を押すことにより、画面遷移プロセスウィンドウ６４を表示することができる。
【００８８】
以上のように構成された本発明の第４の実施形態によれば、過去の画面遷移プロセスを記憶し、必要に応じて、過去の画面遷移を呼び出すことにより、普段行わないような設定機能の操作性を効率向上させることができる。
【００８９】
なお、上述した例は、本発明を自動分析装置に適用した場合の例であるが、複雑な機能を有し、操作画面が複数存在する装置であり、パーソナルコンピュータを操作部として用いる装置であれば、自動分析装置に限らず、他の装置にも本発明は適用可能である。
【図面の簡単な説明】
【００９０】
【図１】本発明が適用される自動分析装置の概略構成図である。
【図２】本発明の第１の実施形態による自動分析装置の操作画面の一例を示す図である。
【図３】本発明の第１の実施形態による自動分析装置の制御プログラムソフトの画面から操作ガイダンスウィンドウへ遷移するための対応リストファイルの一例を示す図である。
【図４】本発明の第１の実施形態による自動分析装置の操作ガイダンスファイル内の手順ＩＤから装置制御プログラムソフトの画面ＩＤへ遷移するための対応リストファイルの一例を示す図である。
【図５】本発明の第１の実施形態による自動分析装置の画面遷移の処理フロー図である。
【図６】本発明の第２の実施形態による自動分析装置のマニュアルと操作部全体との関係を示す図である。
【図７】本発明の第２の実施形態における自動分析装置の画面遷移の処理フロー図である。
【図８】本発明の第３の実施形態による自動分析装置の操作ガイダンスファイル内の手順ＩＤから装置制御プログラムソフトの画面へ遷移するための対応リストファイルの一例を示す図である。
【図９】本発明の第３の実施形態による自動分析装置の画面遷移プロセス表示画面の一例を示す図である。
【図１０】本発明の第４の実施形態による自動分析装置の画面遷移プロセスの登録画面の一例を示す図である。
【図１１】本発明の第４の実施形態による自動分析装置の登録された画面遷移プロセスを表示する画面の一例を示す図である。
【符号の説明】
【００９１】
１        サンプルディスク
２        試薬ディスク
３        反応ディスク
４        反応槽
５        サンプリング機構
６        ピペッティング機構
７        攪拌機構
８        測光機構
９        洗浄機構
１０      表示部
１１      入力部
１２      記憶部
１３      制御部
１６      試料容器
１７      円形ディスク
１８      試薬ボトル
１９      円形ディスク
２０      保冷庫
２１      反応容器
２２      反応容器ホルダ
２３      駆動機構
２４      プローブ
２５      支承軸
２６      アーム
２７      プローブ
２８      支承軸
２９      アーム
３０      装置制御プログラムソフト
３１      操作ガイダンスファイル
３２      手順ＩＤ等と画面ＩＤの対応リストファイル
４１      ステータスエリア
４２      ジョブメニュー
４３      サブメニュー
４４      グローバルメニューエリア
４５      各画面の設定・入力エリア
４６      ファンクションボタン
４７      ヘルプボタン
５１      通信手段
５２      マニュアル
５３      手順ＩＤ
５４      センサー
６１      簡易表示ウィンドウ
６２      拡大表示ボタン
６３      プロセスボタン
６４      画面遷移プロセスウィンドウ
６５      手順登録ボタンおよびそのウィンドウ
６６      手順リストボタンおよびそのウィンドウ
６７      登録ボタン
６８      画面表示ボタン
【図１】
0004563279.tif 000002
【図２】
0004563279.tif 000003
【図３】
0004563279.tif 000004
【図４】
0004563279.tif 000005
【図５】
0004563279.tif 000006
【図６】
0004563279.tif 000007
【図７】
0004563279.tif 000008
【図８】
0004563279.tif 000009
【図９】
0004563279.tif 000010
【図１０】
0004563279.tif 000011
【図１１】
0004563279.tif 000012